(57)【要約】【課題】親局が防災情報を発信出来ない場合も、地域住民へ音声の防災情報を通知することができる防災用の同報拡声放送システムを提供する。【解決手段】Ａ市の親局ＢＳａとＢ町の中継局ＲＳｂ又はＢ町親局からの電波を受信出来る場所にＡ市の中継局ＲＳａを設置し、親局ＢＳａとの通信が途絶した場合、中継局ＲＳａに対してＢ町の親局ＢＳｂまたは中継局ＲＳｂから送信されるＢ町向けに送信されている同報音声メッセージの防災情報を受信可能にする受信周波数と市町村コードとを変更する制御を行い、隣接するＢ町の防災情報を放送するアナウンスを追加編集してＢ町向けの防災メッセージをＡ市の拡声子局ＬＳ（＃２）に向けて中継送信する。【選択図】  図１
2014035604.tif 000002
【特許請求の範囲】
【請求項１】
ARIB STD-T86標準規格に基づく同報通信により拡声子局から防災情報を音声で放送する
市町村の同報拡声放送システムにおいて、
市町村に固有に割り当てられる市町村コードを識別情報とし、当該市町村に固有に割り
当てられる周波数により前記同報通信を自市町村内の前記拡声子局へ行う親局と、
自市町村の親局から前記同報通信の電波と、隣接する市町村の親局からの電波または
隣接する市町村の前記親局とその隣接地域の拡声子局との間を無線中継する中継通信装置
からの電波とを受信出来る場所に設置され、
通常は、自市町村の前記親局に前記割り当てられた周波数と市町村コードとの組合せ
で受信する電波の同報メッセージを自市町村の拡声子局へ前記防災情報として中継送信し
、
前記自市町村の親局からの電波が受信出来ない場合、前記隣接市町村の前記同報通信
の周波数と市町村コードが割り当てられた電波を受信し、自市町村の同報メッセージの代
わりに前記隣接自市町村の前記同報通信から抽出した同報メッセージを編集した防災情報
を生成して自自市町村に割り当てられた周波数と市町村コードの組合せで前記自市町村の
拡声子局へ向けて中継送信する
中継通信装置と、
前記自市町村の親局、又は前記自市町村に設置された中継通信装置から受信する防災情
報の拡声放送を行う拡声子局と
を備えることを特徴とする市町村の同報拡声放送システム。
【請求項２】
前記中継通信装置は、自市町村の前記親局からの電波が受信出来ない場合、予め自分の
記憶手段に記憶した案内メッセージを読み出して前記隣接市町村の前記同報通信から抽出
した同報メッセージに付け加える前記編集を行う事を特徴とする請求項１記載の市町村の
同報拡声放送システム。
【請求項３】
ARIB STD-T86標準規格に基づく同報通信により拡声子局から防災情報を音声で放送する
市町村の同報拡声放送システムの親局と前記拡声子局との間で中継送信する中継通信装置
において、
自市町村の親局から前記同報通信の電波と、隣接する市町村の親局からの電波または前
記隣接する市町村の親局とその隣接市町村の拡声子局との間を無線中継する中継通信装置
からの電波とを受信出来る場所に設置され、
通常は、自市町村の前記親局に割り当てられた周波数と市町村コードとの組合せで受信
する電波の同報メッセージを自市町村の拡声子局へ前記防災情報として中継送信し、
前記自市町村の親局からの電波が受信出来ない場合、前記隣接市町村の前記同報通信の
周波数と市町村コードが割り当てられた電波を受信し、自市町村の同報メッセージの代わ
りに前記隣接市町村の前記同報通信から抽出した同報メッセージを編集した防災情報を生
成して自市町村に割り当てられた周波数と市町村コードの組合せで前記拡声子局へ向けて
中継送信する
ことを特徴とする市町村の同報拡声放送システムの中継通信装置。
【請求項４】
前記中継通信装置は、自市町村の前記親局からの電波が受信出来ない場合、予め自分の
記憶手段に記憶した案内メッセージを読み出して前記隣接市町村の前記同報通信から抽出
した同報メッセージに付け加える前記編集を行う事を特徴とする請求項３記載の市町村の
同報拡声放送システムの中継通信装置。
【請求項５】
ARIB STD-T86標準規格に基づく同報通信により拡声子局から防災情報を音声で放送する
市町村の同報拡声放送システムの親局と前記拡声子局との間で中継通信装置が中継送信す
る中継方法において、
前記中継通信装置は、
自市町村の親局から前記同報通信の電波と、隣接する市町村の親局からの電波または前
記隣接する市町村の親局とその隣接市町村の拡声子局との間を無線中継する中継通信装置
からの電波とを受信出来る場所に設置され、
通常は、自市町村の前記親局に割り当てられた周波数と市町村コードとの組合せで受信
する電波の同報メッセージを自市町村の拡声子局へ前記防災情報として中継送信し、
前記自市町村の親局からの電波が受信出来ない場合、前記隣接市町村の前記同報通信の
周波数と市町村コードが割り当てられた電波を受信し、自市町村の同報メッセージの代わ
りに前記隣接地の前記同報通信から抽出した同報メッセージに予め自分の記憶手段に記憶
した案内メッセージを読み出して前記隣接市町村の前記同報通信から抽出した同報メッセ
ージに付け加える編集をして自市町村に割り当てられた周波数と市町村コードの組合せで
前記自市町村の拡声子局へ向けて中継送信することを特徴とする市町村の同報拡声放送シ
ステムの中継方法。
【発明の詳細な説明】
【技術分野】
【０００１】
本発明の実施形態は、市町村防災の拡声放送をする同報拡声放送システム、中継通信装
置、中継送信方法に関する。
【背景技術】
【０００２】
周波数６０ＭＨｚのデジタル無線通信を用いて住民に拡声音声で防災情報を通達する同
報拡声放送システムが運用されている（非特許文献１）。この標準化された同報拡声放送
システムは、市町村防災行政無線と呼ばれ、特に、豪雨や地震、津波等に係わる避難情報
については市町村自治体からの音声放送が重要な告知手段として活用されている。
【０００３】
しかしながら、図７に示される従来の防災用の同報拡声放送システムでは、豪雨による
地滑り、地震等により親局の機器損傷や、市役所自身が被災すると、親局ＢＳから子局Ｌ
Ｓへ情報伝達や無線信号が送信出来ず、当該地域での防災情報の放送が出来なくなる問題
が有った。
【先行技術文献】
【非特許文献】
【０００４】
【非特許文献１】ARIB STD-T86 :3.0版：2007市町村デジタル同報通信システム  標準規格．（社）電波産業会
【発明の概要】
【発明が解決しようとする課題】
【０００５】
これまで運用されている市町村防災用の同報拡声放送システムは、豪雨による地滑り、
地震等により親局が損傷した場合、または、市役所の防災センター自身が被災した場合に
は、子局へ情報伝達や無線通信による緊急通報が出来なくなる問題が有った。
【０００６】
本発明が解決しようとする課題は、親局や防災センターが防災情報を発信出来ない場合
も、地域住民へ音声で防災情報を通知することができる防災用の同報拡声放送システム、
その中継通信装置、中継送信方法を提供することである。
【課題を解決するための手段】
【０００７】
上記目的を達成するために、本実施形態の市町村の同報拡声放送システムは、ARIB STD
-T86標準規格に基づく同報通信により拡声子局から防災情報を音声で放送する市町村の同
報拡声放送システムにおいて、市町村に固有に割り当てられる市町村コードを識別情報と
し、当該市町村に固有に割り当てられる周波数により前記同報通信を自市町村内の前記拡
声子局へ行う親局と、自市町村の親局から前記同報通信の電波と、隣接する市町村の親局
からの電波または隣接する市町村の前記親局とその隣接地域の拡声子局との間を無線中継
する中継通信装置からの電波とを受信出来る場所に設置され、通常は、自市町村の前記親
局に前記割り当てられた周波数と市町村コードとの組合せで受信する電波の同報メッセー
ジを自市町村の拡声子局へ前記防災情報として中継送信し、前記自市町村の親局からの電
波が受信出来ない場合、前記隣接市町村の前記同報通信の周波数と市町村コードが割り当
てられた電波を受信し、自市町村の同報メッセージの代わりに前記隣接自市町村の前記同
報通信から抽出した同報メッセージを編集した防災情報を生成して自自市町村に割り当て
られた周波数と市町村コードの組合せで前記自市町村の拡声子局へ向けて中継送信する中
継通信装置と、前記自市町村の親局、又は前記自市町村に設置された中継通信装置から受
信する防災情報の拡声放送を行う拡声子局とを備えることを特徴とする。
【０００８】
また、本実施形態の市町村の同報拡声放送システムの中継通信装置は、ARIB STD-T86標
準規格に基づく同報通信により拡声子局から防災情報を音声で放送する市町村の同報拡声
放送システムの親局と前記拡声子局との間で中継送信する中継通信装置において、自市町
村の親局から前記同報通信の電波と、隣接する市町村の親局からの電波または前記隣接す
る市町村の親局とその隣接市町村の拡声子局との間を無線中継する中継通信装置からの電
波とを受信出来る場所に設置され、通常は、自市町村の前記親局に割り当てられた周波数
と市町村コードとの組合せで受信する電波の同報メッセージを自市町村の拡声子局へ前記
防災情報として中継送信し、前記自市町村の親局からの電波が受信出来ない場合、前記隣
接市町村の前記同報通信の周波数と市町村コードが割り当てられた電波を受信し、自市町
村の同報メッセージの代わりに前記隣接市町村の前記同報通信から抽出した同報メッセー
ジを編集した防災情報を生成して自市町村に割り当てられた周波数と市町村コードの組合
せで前記拡声子局へ向けて中継送信することを特徴とする。
【０００９】
さらに本実施形態の市町村の同報拡声放送システムの中継方法は、ARIB STD-T86標準規
格に基づく同報通信により拡声子局から防災情報を音声で放送する市町村の同報拡声放送
システムの親局と前記拡声子局との間で中継通信装置が中継送信する中継方法において、
前記中継通信装置は、自市町村の親局から前記同報通信の電波と、隣接する市町村の親局
からの電波または前記隣接する市町村の親局とその隣接市町村の拡声子局との間を無線中
継する中継通信装置からの電波とを受信出来る場所に設置され、通常は、自市町村の前記
親局に割り当てられた周波数と市町村コードとの組合せで受信する電波の同報メッセージ
を自市町村の拡声子局へ前記防災情報として中継送信し、前記自市町村の親局からの電波
が受信出来ない場合、前記隣接市町村の前記同報通信の周波数と市町村コードが割り当て
られた電波を受信し、自市町村の同報メッセージの代わりに前記隣接地の前記同報通信か
ら抽出した同報メッセージに予め自分の記憶手段に記憶した案内メッセージを読み出して
前記隣接市町村の前記同報通信から抽出した同報メッセージに付け加える編集をして自市
町村に割り当てられた周波数と市町村コードの組合せで前記自市町村の拡声子局へ向けて
中継送信することを特徴とする。
【図面の簡単な説明】
【００１０】
【図１】本実施形態に係わる市町村の同報拡声放送システムの構成図である。
【図２】本実施形態に係わる市町村の同報拡声放送システムの中継通信装置の動作を説明する機能ブロック図である。
【図３】ARIB  STD-T86規格の下り送信のスロット配置図である。
【図４】ARIB  STD-T86規格のＦＡＣＣＨ番号通知のデータフォーマットを示す図である。
【図５】本実施形態に係わる市町村の同報拡声放送システムの中継通信装置の動作を説明するフローチャートである。
【図６】拡声再送信子局を使用する市町村の同報拡声放送システムの構成図である。
【図７】従来の同報拡声放送システムの親局障害発生時の概念図である。
【発明を実施するための形態】
【００１１】
以下、実施形態の防災用の同報拡声放送システムを図面を参照して説明する。
【００１２】
図１は、本実施形態に係わる市町村の同報拡声放送システムの構成図である。  
図１において、本実施形態に係わる防災用市町村の同報拡声放送システムは、ARIB STD
-T86の標準規格（以下、ARIB  STD-T86と称する。）に準じて動作するシステムであって
ここでは、Ａ市の市役所に設置される親局ＢＳａと、Ａ市内の住居地域等に配置される拡
声子局ＬＳ（＃１）、（＃２）..と、中継通信装置（以下、中継局と呼ぶ。）ＲＳａと、
隣接するＢ町の中継局ＲＳｂ又は、Ｂ町の親局Ｂｓｂとを備えている。
【００１３】
通常、中継局ＲＳａは、Ａ市の親局からの同報（放送）電波を受信してＡ市の拡声子局
ＬＳへ中継送信を行う。しかし、親局ＢＳａが被災等で送信を停止した場合、中継局ＲＳ
ａが動作していても拡声子局ＬＳへは同報電波が通達出来ないので重大な災害発生時に防
災情報が伝えられない事態が生じる。
【００１４】
親局ＢＳａの故障や被災時にも防災の拡声放送を維持、また通常の中継局ＲＳａの制御
監視をするため、図１の様に、ネットワークＮが市役所の防災センターと中継局ＲＳａと
の間に設けられる場合もあるが、市役所の防災センターが機能出来なくなった場合には、
防災情報が伝達出来ない。
【００１５】
本実施形態の同報拡声放送システムは、災害時に当該自治体からの防災情報が送信出来
なくなった場合、中継局が隣接する自治体の防災放送を自動的に取り込み編集した防災情
報を生成し、それを中継局のカバーエリアに居住する住民に放送している。
【００１６】
Ａ市の中継局ＲＳａは、通常、Ｂ町との境界付近にある山頂や建造物に設置され、親局
ＢＳａからの電波が到達しない地域に設置された拡声子局ＬＳ（＃２）との間で同報拡声
放送の電波を中継し再送信している。本実施例の中継局ＲＳａは、本来の受信電波に加え
て隣接するＢ町の同報拡声放送の電波が受信可能な場所に設置されている事が特徴である
。即ち、Ａ市の中継局ＲＳａは、Ｂ町の電波を併せてモニタ受信し、親局ＢＳａからの電
波の受信が途絶えた場合、Ｂ町の防災情報を非常用の代理メッセージとしてＡ市の拡声子
局ＬＳへ向けて送信する。
【００１７】
図２は、本実施形態に係わる同報拡声放送システムの中継局の動作を説明する機能ブロ
ック図、図３は、中継局の動作を説明するフローチャートである。  
図２において、中継局ＲＳは、Ａ市の親局ＢＳａからの電波を受信するアンテナ１ａと
、Ｂ町の親局、又はＢ町の中継局ＲＳｂからの電波を受信するアンテナ１ｂと送信用のア
ンテナ１ｓと、それぞれの間がバス等で接続された受信復調部２と、送信変調部３と、メ
モリ４と、中継処理部６と、ネットワーク、又はディスプレイとキーボード等による情報
の入出力を行うＩ／Ｏ  ＩＦ部７と、バスを介してこれらの各部の動作制御を行う監視制
御部５とを備えている。
【００１８】
ARIB STD-T86規格は、デジタル無線通信方式を採用しているので、拡声放送される音声
メッセージもデジタル符号化された無線信号として中継局ＲＳａで受信される。受信され
た音声メッセージの音声符号化データはメモリ４に一旦バッファされてから再送信される
。
【００１９】
本実施形態では、６０ＭＨｚ帯の周波数が用いられ、基本的には超短波の直進性を有す
るので受信アンテナ１ａ、１ｂは、指向性アンテナが用いられ近接周波数の他の地域の電
波からの干渉除去が図られる。一方、多数の拡声子局ＬＳへ一斉に送信する送信アンテナ
１ｓには、無指向性のアンテナが用いられている。
【００２０】
中継局ＲＳの送信変調部３が送信する周波数チャネルは、Ａ市同報拡声放送システムに
割り当てられたチャネルが予め設定されている。また受信復調部２が受信する周波数チャ
ネルは、Ａ市同報拡声放送システムに割り当てられたチャネルが予めデフォルト設定され
ていると共に、隣接するＢ町に割り当てられたチャネルが予め非常用受信チャネルに設定
されている。この受信チャネルへの切替は、後述の様に監視制御部５が制御する。
【００２１】
受信復調部２が受信、検波した信号は、ベースバンド信号に復調されバスを介してメモ
リ４に一旦バッファされる。監視制御部５は、ARIB  STD-T86規格に対応したプロトコル
処理と、同報送信されるメッセージの管理を行う。
【００２２】
中継処理部６は、バスを介して入出力されるベースバンド信号をARIB  STD-T86規格に
従ってプロトコル処理を実行し、中継送信信号を再構築する処理回路であって、ファーム
ウェア回路等が用いられる。本実施形態の同報拡声音声放送システムは、ARIB STD-T86規
格で示される音声符号化方式を採用しており、音声信号は、符号化されたデータの音声パ
ケットとして扱われる。
【００２３】
中継処理部６には、受信復調部２から１６ＱＡＭ変調された無線信号を復調したベース
バンド信号が入力される。そして、監視制御部５は、ベースバンド信号からメッセージ送
信される音声パケット部分を抽出し、音声符号化データをメモリ４の音声データ記録領域
へバッファ書込記憶する制御をする。
【００２４】
通常監視制御部５は、この書き込まれた音声符号化データを読み出して送信変調部３へ
出力して拡声子局ＬＳへ向けて送信する制御を行う。一方、親局ＲＳからの電波を受信出
来ない非常時には、後述の様にメモリ４の第２の音声データ記録領域に予め書込記憶され
ているメッセージの音声符号化データをこのバッファされた音声符号化データと組み合わ
せる編集を行い、新たな非常同報用の音声符号化データを生成する。そして中継処理部６
は、ARIB STD-T86規格に基づく中継送信用のデータパケットを生成して送信変調部３へ出
力する。
【００２５】
送信変調部３は、入力されるデータパケットを１６ＱＡＭ変調された６０ＭＨｚ帯の所
定のチャネルの電波にして送信用アンテナ１ｓから送信する。
【００２６】
Ｉ／Ｏ  ＩＦ（入出力インタフェース）部７は、親局ＢＳａ、又は図示されない同報拡
声放送システムの制御装置との間でネットワークＮを介して制御、モニタ信号等をバスを
介して監視制御部５と入出力するインタフェースである。また、中継局ＲＳａに設けられ
た操作卓等との間で制御、モニタ信号を監視制御部５と入出力する。
【００２７】
前述の如く、親局ＢＳａが動作不能になった場合、市役所の防災センターは、中継局Ｒ
Ｓａとの間で無線電波の代わりにネットワークＮを介して制御信号およびメッセージを送
受信する。
【００２８】
親局ＢＳａが故障しても市役所が機能している場合は、ネットワークＮを介して拡声放
送されるメッセージの符号化音声データが市役所の防災センターから中継局ＲＳａへ送信
される。監視制御部５は、Ｉ／Ｏ  ＩＦ部７を介して受信した符号化音声データをメモリ
４の音声データ記録領域へバッファ書込記憶する。そして、監視制御部５は、このＩ／Ｏ
ＩＦ部７を介してネットワークＮを介して入力される制御モニタ信号に従って拡声子局
ＬＳへ向けてメッセージを送信する中継処理を行う。
【００２９】
一方、ネットワークＮを介して外部からの制御情報が受信出来ない時は、併せて親局Ｂ
Ｓから無線電波で送信されている信号を監視して、親局ＲＳが異常と判定した場合、予め
設定された中継局制御プログラムに従って中継送信を行う。
【００３０】
図３は、ARIB  STD-T86規格の下り送信のスロット配置図を、図４は、ＦＡＣＣＨ番号
通知のデータフォーマットを示す図である。
【００３１】
図３において、同報拡声放送の信号は、６チャネルのスロットを一纏めにした基本フレ
ーム８０ｍｓで繰り返される同期情報付きの電波である。この各スロットにユーザ個別チ
ャネルとしてＦＡＣＣＨ制御チャネルが割り当てられる。
【００３２】
図４は、ＦＡＣＣＨによって市町村自治体毎に固有の市町村コードおよび関連情報が割
り当てられるデータフォーマットを説明している。
【００３３】
ARIB  STD-T86規格では、詳細説明は省略するがＡ市とＢ町の様に２つの異なる自治体
の同報無線通信システムの中継局は、送受信する電波の周波数チャネルと、市町村コード
との組合せが異なっている。各中継局では、所属する市町村の所定の周波数チャネルで送
受信し、監視制御部５が自地域の市町村コードの受信信号を弁別、設定する中継処理を行
う。
【００３４】
図５は、本実施形態の中継局の中継送信手順を説明するフローチャートである。
【００３５】
従来の中継局は、自地域宛の周波数チャネルと市町村コードのみを受信設定していたの
で隣接地域の同報拡声放送は受信しない。本実施形態のＡ市の中継局ＲＳａは、先ず自地
域（Ａ市）割り当ての周波数（チャネルａ）と、Ａ市に割り当てられた１６ビットの市町
村コードとをメモリ４の例えば、第１番目の読み出しエリアへ書き込んで優先設定する（
図５のステップｓ０）。続いて、中継局ＲＳａで同報拡声放送が受信出来るＢ町の周波数
（チャネルｂ）とＢ町に割り当てられた１６ビットの市町村コードと、Ｂ町のメッセージ
を放送する事を通知するアナウンスのメッセージデータを非常設定としてメモリの２番目
の読み出しエリアに書き込み記憶する（ステップｓ１）初期設定が行われる。
【００３６】
アナウンスのメッセージは、例えば、「こちらは防災Ａ市、現在Ａ市の防災システムが
故障している為、只今から代わりに隣のＢ町の防災情報を中継して放送します。」である
。このメッセージは、Ａ市の防災情報の代わりの情報を放送していることを周知、アナウ
ンスするために予め準備されるものである。
【００３７】
初期設定後、起動された中継局ＲＳａでは、受信電波を復調したベースバンド信号が入
力される中継処理部６が、優先設定された条件に従って同期の確立を監視すると共に、誤
り訂正処理等を行う。そして、同期確立通知と正常受信判定通知を監視制御部５へ送信す
ると共に所定のプロトコルに準じてベースバンド信号を制御信号やメッセージに振り分け
る処理を行う。
【００３８】
監視制御部５は、中継処理部６からの監視し、８０ｍｓ毎に同期が正しく取れ、制御信
号を正常に受信している場合（ステップｓ２がＹｅｓ）、ARIB STD-T86規格のプロトコル
と、メッセージ処理手順に従って、同報メッセージを更に自地域（Ａ市）の拡声子局ＬＳ
へ向けて中継送信する。
【００３９】
一方、市役所自身が機能不全となるなど親局ＢＳａが動作停止し、電波を受信しないの
で監視制御部５が例えば５分間以上に亘り同期が取れなくなると、異常事態と判定して（
ステップｓ２がＮｏ）中継局ＲＳａは、Ｉ／Ｏ  ＩＦ７を介して、切替指令が有るか否か
を調べる。
【００４０】
そして、ネットワークＮから切替指令を受信できる場合（ステップｓ４がＹｅｓ）は指
令に従って監視制御部５は所定のプログラムによりネットワークＮを介して受信するメッ
セージを中継送信する制御を行う（ステップｓ１０）。
【００４１】
切替指令を受信しない場合（ステップｓ４がＹｅｓ）、監視制御部５は、メモリ４から
非常設定用として記憶していた隣接地域のＢ町に割り当てられた周波数と市町村コードに
切替えて受信する制御信号を中継処理部６に出力して受信先をＢ町に切替る（ステップｓ
５）。
【００４２】
そして、Ｂ町からの同報拡声放送の受信信号に同期後、受信したＢ町の音声メッセージ
の音声符号化データをメモリ４の音声データ記録領域へバッファ記憶する（ステップｓ６
）。
【００４３】
そしてメモリ４の第２の音声データ記憶領域から、Ｂ町の放送を代わりに送信する事を
伝えるアナウンスするメッセージの音声符号化データを読み出し（ステップｓ７）、バッ
ファされているＢ町の音声メッセージの符号化データの先頭に付加し、中継放送する防災
メッセージを生成する編集をする（ステップｓ８）。
【００４４】
そして、Ａ市に割り当てられた周波数チャネルと市町村コーにドを組み合わせた送信電
波の設定を行い、新たに編集された防災メッセージを自地域の拡声子局ＬＳへ向けて中継
送信する（ステップｓ９）。拡声子局ＬＳが中継局ＲＳａから受信する電波は、Ｂ町の防
災メッセージ利用に切替られても周波数と市町村コードはＡ市に割り当てられたものであ
る。この結果、Ａ市の拡声子局ＬＳではＢ町の防災メッセージで代替された非常時の防災
メッセージの拡声放送が行われる。
【００４５】
なお、自地域（Ａ市）と隣接地（Ｂ町）との周波数及び市町村コードが予めメモリ４に
設定されている場合、受信復調部２がこの２つの同報拡声放送の電波を同時に受信し、同
期が取れているかをモニタする。そして、監視制御部５は、自地域周波数（Ａ市）の受信
電波のキャリヤが検出出来ないか、又は、５分以上連続して８０ｍｓ毎の同期が取れない
場合、隣接地（Ｂ町）からのメッセージを利用した放送を送信するようにしても良い。
【００４６】
この切替後の同報放送音声メッセージの一例として、「こちらは防災Ａ市、現在Ａ市の
防災システムが故障している為、代わりに只今から隣のＢ町の防災情報を中継して放送し
ます。：警報音：こちらは、Ｂ町防災放送です。只今、ＯＯ県のＸＸ地域Ｂ町に大雨洪水
警報が発表されました・・・・以下略。」がある。
【００４７】
なお、Ｂ町の防災情報を利用している案内メッセージは、先頭の案内メッセージに加え
て、警報メッセージの終了タイミングにも案内メッセージを加えても良いことは勿論であ
る。
【００４８】
自地域の防災情報が送信出来無い場合、気象を始めとして自地域と隣接地域との防災情
報は共通性があるため、非常時に災害対策として同一内容では無くても、隣接地の防災情
報を利用することは有効である。
【００４９】
以上述べた少なくともひとつの実施形態の同報拡声放送システムによれば、自地域の防
災用の同報拡声放送システムの親局が送信不能になった場合でも中継局が隣接地域の同報
拡声放送の電波を受信して自地域のメッセージの代わりに中継送信することにより防災情
報を継続して送信することが出来る。
【００５０】
本発明のいくつかの実施形態を説明したが、これらの実施形態は、例として提示したも
のであり、発明の範囲を限定することは意図していない。これら実施形態は、その他の様
々な形態で実施されることが可能であり、発明の要旨を逸脱しない範囲で、種々の省略、
置き換え、変更を行うことができる。
【００５１】
例えば、図１では、中継局ＲＳａから拡声子局ＬＳ（＃２）への中継送信のみが可能で
、拡声子局ＬＳ（＃１）は、元来が親局ＢＳからの受信出来ない場合が書かれているが、
図６の様に拡声再送信子局ＬＳ（＃３）を使用することにより親局ＢＳａからの電波が受
信出来なくなった拡声子局ＬＳ（＃１）又は、その他の拡声子局ＬＳを受信可能にするこ
とも出来る。
【００５２】
また、中継局ＲＳａの受信用アンテナは、自地域親局向けと隣接地の送信局向けとの２
つを用いる例を示しているが、無指向性の１つのアンテナとしても良い。これら実施形態
やその変形は、発明の範囲や要旨に含まれると同様に、特許請求の範囲に記載された発明
とその均等の範囲に含まれるものである。
【符号の説明】
【００５３】
１ａ、１ｂ、１ｓ  アンテナ
２  受信復調部
３  送信変調部
４  メモリ
５  監視制御部
６  中間処理部
７  Ｉ／Ｏ  ＩＦ（入出力インタフェース）部
ＢＳａ  親局
ＲＳａ、ＲＳｂ  中継局
ＬＳａ  拡声子局
【図１】
2014035604.tif 000003
【図２】
2014035604.tif 000004
【図３】
2014035604.tif 000005
【図４】
2014035604.tif 000006
【図５】
2014035604.tif 000007
【図６】
2014035604.tif 000008
【図７】
2014035604.tif 000009